(57)【要約】  ゴルフバンカーの砂、雪、競馬場の泥、その他の媒体等の一面の粒状媒体を滑らかにするためのローラ組立体。組立体は、長手方向軸を持つ１つ以上のローラを有している。各ローラは、ローラ表面を画定するために軸から間隔をあけたワイヤを含んでいる。各ワイヤは、弾性的に可撓性であり、ローラが粒状媒体上の軸の周りを回転するとき、接触による力に応じて内側に歪むとともに、ローラが粒状媒体上で軸の周りを回って粒状媒体からの力が解放されている間に元に戻る。ハンドルが延びているヨークのアーム間でローラ組立体の軸に沿ってシャフトが延びている。ローラの表面が媒体を横切ると、少なくとも一部の媒体がローラの外側に飛ばされ、一面を滑らかにする。ローラ組立体は手動により操作、または牽引装置の後ろで牽引されることができる。【選択図】図２
2021507155.tif 000002
【特許請求の範囲】
【請求項１】
一面の粒状媒体を滑らかにするためのローラ組立体において、
第１の端部、第２の端部、および長手方向軸を有する少なくとも１つのローラと、
前記長手方向軸の周りを回転する複数の媒体接触面であって、前記媒体接触面の各々の少なくとも一部は、第１の位置から圧縮位置に内向きに移動可能であり、前記圧縮位置は、前記第１の位置よりも前記長手方向軸に近く、前記圧縮位置は、粒状媒体との接触による力から得られる、複数の媒体接触面とを備え、
前記媒体接触面の１つが前記圧縮位置にあるときに、前記媒体接触面は、少なくとも一部の粒状媒体を前記少なくとも１つのローラから外向きに飛ばすのに十分な力および速度で前記第１の位置に戻る、ローラ組立体。
【請求項２】
請求項１に記載のローラ組立体において、
前記媒体接触面は、前記ローラの前記第１の端部に近接する第１の端部と、前記ローラの前記第２の端部に近接する第２の端部とを有する複数のワイヤで構成された、ローラ組立体。
【請求項３】
請求項２に記載のローラ組立体において、
前記複数のワイヤの前記第１の端部に近接する第１のブッシュと、
前記複数のワイヤの前記第２の端部に近接する第２のブッシュとをさらに備えた、ローラ組立体。
【請求項４】
請求項３に記載のローラ組立体において、
前記ブッシュの各々は、対応するリングと協働して間に前記複数のワイヤを環状に把持する、ローラ組立体。
【請求項５】
請求項３に記載のローラ組立体において、
前記長手方向軸に沿って延在するシャフトをさらに備え、前記ブッシュは、前記長手方向軸の周りを回転可能である、ローラ組立体。
【請求項６】
請求項５に記載のローラ組立体において、
ヨークであって、前記シャフトが前記ヨークのアーム間に延在する、ヨークと、
前記ヨークから前記シャフトを横切る方向に延在する細長いハンドルとをさらに備えた、ローラ組立体。
【請求項７】
請求項２に記載のローラ組立体において、
前記複数のワイヤの各々は、前記長手方向軸から広がる対応する半径方向平面内に配置された、ローラ組立体。
【請求項８】
請求項７に記載のローラ組立体において、
前記複数のワイヤの前記対応する半径方向平面は、前記長手方向軸の周りに等角度の増分で離間された、ローラ組立体。
【請求項９】
請求項２に記載のローラ組立体において、
前記複数のワイヤの各々は、第１のブッシュに取り付けられた第１の半径方向セグメント、第２のブッシュに取り付けられた第２の半径方向セグメント、および前記第１の半径方向セグメントと前記第２の半径方向セグメントとの間の長手方向部分を有し、
前記第１の半径方向セグメントは、前記長手方向軸から広がる第１の半径方向平面に配置され、前記第２の半径方向セグメントは、前記長手方向軸から広がる第２の半径方向平面に配置された、ローラ組立体。
【請求項１０】
請求項９に記載のローラにおいて、
前記複数のワイヤの前記ワイヤの前記第１の半径方向セグメントおよび前記第２の半径方向セグメントは、前記長手方向軸の周りに等角度の増分で離間された、ローラ組立体。
【請求項１１】
請求項２に記載のローラ組立体において、
前記複数のワイヤの各々は、弾性的に可撓性であり、接触による力の増加に応じて内側に歪むとともに、前記ローラが一面の粒状媒体上の前記長手方向軸の周りを回って粒状媒体からの接触による力が解放されている間に元に戻る、ローラ組立体。
【請求項１２】
請求項１に記載のローラ組立体において、
前記ローラに隣接する複数の耕作部材をさらに備え、
前記耕作部材は、前記粒状媒体を粉砕するために設けられ、前記ローラは、粉砕された前記粒状媒体を滑らかにするために設けられた、ローラ組立体。
【請求項１３】
請求項１に記載のローラ組立体において、
前記複数の媒体接触面は、第１の端部、第２の端部、および中点を画定し、前記第１の端部および前記第２の端部は、凸形状の媒体接触面を形成するために、前記中点よりも前記長手方向軸に近い、ローラ組立体。
【請求項１４】
請求項１に記載のローラ組立体において、
前記ローラは、牽引可能な組立体に取り付けられた、ローラ組立体。
【請求項１５】
請求項１２に記載のローラ組立体において、
前記耕作部材は、牽引可能な組立体に取り付けられた、ローラ組立体。
【請求項１６】
一面の粒状媒体を滑らかにするためのローラ組立体において、
第１の端部、第２の端部、および長手方向軸を有する少なくとも１つのローラであって、前記長手方向軸の周りを回転する複数の媒体接触面を有する、少なくとも１つのローラと、
前記少なくとも１つのローラに隣接する複数の耕作部材であって、粒状媒体を破砕する、複数の耕作部材とを備え、
前記ローラは、前記粉砕された粒状媒体を滑らかにするためのものであり、
前記複数の媒体接触面は、粒状媒体の少なくともいくつかを前記ローラから外向きに飛ばすためのものである、ローラ組立体。
【請求項１７】
請求項１６に記載のローラ組立体において、
前記耕作部材は、複数の歯である、ローラ組立体。
【請求項１８】
請求項１６に記載のローラ組立体において、
前記複数の媒体接触面の少なくとも一部は、第１の位置から圧縮位置まで内向きに移動可能であり、前記圧縮位置は、前記第１の位置よりも前記長手方向軸に近く、前記圧縮位置は、粒状媒体との接触による力から得られ、
前記複数の媒体接触面の１つが前記圧縮位置にあるとき、前記媒体接触面は、粒状媒体の少なくともいくつかを前記ローラの外側に飛ばすのに十分な力および速度で前記第１の位置に戻る、ローラ組立体。
【請求項１９】
請求項１６に記載のローラ組立体において、
前記複数の媒体接触面は、前記ローラの前記第１の端部に近接する第１の端部と、前記ローラの前記第２の端部に近接する第２の端部とを有する複数のワイヤで構成された、ローラ組立体。
【請求項２０】
請求項１９に記載のローラ組立体において、
前記複数のワイヤの前記第１の端部に近接する第１のブッシュと、
前記複数のワイヤの前記第２の端部に近接する第２のブッシュと、
前記長手方向軸に沿って延在するシャフトであって、前記ブッシュは、前記長手方向軸の周りを回転可能である、シャフトとをさらに備えた、ローラ組立体。
【請求項２１】
請求項２０に記載のローラ組立体において、
第１のアームおよび第２のアームを画定するヨークであって、前記シャフトは前記ヨークのアーム間に延在する、ヨークと、
前記ヨークから延在する細長いハンドルとをさらに備えた、ローラ組立体。
【請求項２２】
請求項１９に記載のローラ組立体において、
前記複数のワイヤの各々は、前記長手方向軸から広がる対応する半径方向平面に配置された、ローラ組立体。
【請求項２３】
請求項１９に記載のローラ組立体において、
前記複数のワイヤの前記第１の端部に近接する第１のブッシュと、
前記複数のワイヤの前記第２の端部に近接する第２のブッシュと、
前記複数のワイヤの各々は、前記第１のブッシュに取り付けられた第１の半径方向セグメント、前記第２のブッシュに取り付けられた第２の半径方向セグメント、および前記第１の半径方向セグメントと前記第２の半径方向セグメントとの間の長手方向部分を有し、
前記第１の半径方向セグメントは、前記長手方向軸から広がる第１の半径方向平面に配置され、前記第２の半径方向平面は、前記長手方向軸から広がる第２の半径方向平面に配置された、ローラ組立体。
【請求項２４】
請求項１９に記載のローラ組立体において、
前記複数のワイヤの各々は、弾性的に可撓性であり、接触による力の増加に応じて内側に歪むとともに、前記ローラが一面の粒状媒体上の前記長手方向軸の周りを回って粒状媒体からの接触による力が解放されている間に元に戻る、ローラ組立体。
【請求項２５】
請求項１８に記載のローラ組立体において、
前記複数の媒体接触面は、第１の端部、第２の端部、および中点を画定し、前記第１の端部および前記第２の端部は、凸形状の媒体接触面を形成するために前記中点よりも前記長手方向軸に近い、ローラ組立体。
【請求項２６】
請求項１６に記載のローラ組立体において、
前記ローラは、牽引可能な組立体に取り付けられ、ローラ組立体。
【請求項２７】
請求項１６に記載のローラ組立体において、
前記耕作部材は、牽引可能な組立体に取り付けられた、ローラ組立体。
【請求項２８】
一面の粒状媒体を滑らかにするためのローラ組立体において、
前記ローラ組立体は、第１の端部、第２の端部、および長手方向軸を有する少なくとも１つのローラを備え、前記ローラは、前記長手方向軸の周りを回転する複数の媒体接触面を有し、前記媒体接触面は、第１の端部、第２の端部および中点を画定し、前記第１の端部および前記第２の端部は、凸形状の媒体接触面を形成するために前記中点よりも前記長手方向軸に近く、
前記複数の媒体接触面は、少なくともいくつかの粒状媒体を前記ローラから外向きに飛ばす、ローラ組立体。
【請求項２９】
請求項２８に記載のローラ組立体において、
前記媒体接触面の前記第１の端部および前記第２の端部に近接する前記媒体接触面の凸形状は、前記凸形状の媒体接触面の前記中点に近接する凸形状よりも弓形である、ローラ組立体。
【請求項３０】
請求項２８に記載のローラ組立体において、
前記接触面の少なくとも一部は、第１の位置から圧縮位置まで内向きに移動可能であり、前記圧縮位置は、前記第１の位置よりも前記長手方向軸に近く、前記圧縮位置は、粒状媒体との接触による力から得られ、
前記複数の媒体接触面の１つが前記圧縮位置にあるときに、媒体接触面は、少なくとも一部の粒状媒体を前記ローラから外向きに飛ばすのに十分な力および速度で前記第１の位置に戻る、ローラ組立体。
【請求項３１】
請求項２８に記載のローラ組立体において、
前記ローラに隣接する複数の耕作部材をさらに備え、
前記耕作部材は、粒状媒体を粉砕するように設けられ、前記ローラは、前記粉砕された粒状媒体を滑らかにするように設けられた、ローラ組立体。
【請求項３２】
請求項２８に記載のローラ組立体において、
前記媒体接触面は、前記ローラの前記第１の端部に近接する第１の端部と前記ローラの第２の端部に近接する第２の端部とを有する複数のワイヤから構成された、ローラ組立体。
【請求項３３】
請求項３２に記載のローラ組立体において、
前記複数のワイヤの前記第１の端部に近接する第１のブッシュと、
前記複数のワイヤの前記第２の端部に近接する第２のブッシュと、
前記長手方向軸に沿って延在するシャフトであって、前記ブッシュは、前記長手方向軸の周りを回転可能である、シャフトとをさらに備えた、ローラ組立体。
【請求項３４】
請求項３３に記載のローラ組立体において、
第１のアームおよび第２のアームを画定するヨークであって、前記シャフトは、前記ヨークのアーム間に延在する、ヨークと、
前記ヨークから延在する細長いハンドルとをさらに備えた、ローラ組立体。
【請求項３５】
請求項３２に記載のローラ組立体において、
前記複数のワイヤの各々は、前記長手方向軸から広がる対応する半径方向平面に配置された、ローラ組立体。
【請求項３６】
請求項３２に記載のローラ組立体において、
前記複数のワイヤの前記第１の端部に近接する第１のブッシュと、
前記複数のワイヤの前記第２の端部に近接する第２のブッシュとをさらに備え、
前記複数のワイヤの各々は、前記第１のブッシュに取り付けられた第１の半径方向セグメント、第２のブッシュに取り付けられた第２の半径方向セグメント、および前記第１の半径方向セグメントと前記第２の半径方向セグメントとの間の長手方向部を有し、
前記第１の半径方向セグメントは、前記長手方向軸から広がる第１の半径方向平面に配置され、前記第２の半径方向セグメントは、前記長手方向軸から広がる第２の半径方向平面に配置された、ローラ組立体。
【請求項３７】
請求項３２に記載のローラ組立体において、
前記複数のワイヤの各々は、弾性的に可撓性であり、接触による力の増加に応じて内側に歪むとともに、前記ローラが一面の粒状媒体上の前記長手方向軸の周りを回って粒状媒体からの接触による力が解放されている間に元に戻る、ローラ組立体。
【請求項３８】
請求項２４に記載のローラ組立体において、
前記ローラは、牽引可能な組立体に取り付けられた、ローラ組立体。
【請求項３９】
請求項３１に記載のローラ組立体において、
前記耕作部材は、牽引可能な組立体に取り付けられた、ローラ組立体。
【発明の詳細な説明】
【技術分野】
【０００１】
関連出願の相互参照
この出願は、「ゴルフコースのバンカーの砂を滑らかにするためのローラ組立体」という名称で２０１７年１２月１３日に出願された米国仮特許出願６２／５９８，２９７号と、「ゴルフコースのバンカーの砂を滑らかにするためのローラ組立体」という名称で２０１８年１月８日に出願された米国仮特許出願番号６２／６１４，８３３号とに基づく優先権を主張し、これら両方の内容は参照により本明細書に組み込まれている。
発明の分野
本発明は、一般に、一面の粒状媒体を滑らかにするための器具に関し、より具体的には、例えばゴルフのバンカーの砂、例えばスキー場の雪、例えば競馬場のダート、または、他の粒状媒体を滑らかにするための器具に関している。
【背景技術】
【０００２】
ゴルフのルールは、置かれた状態が風や雨等の自然現象によるものか、先にバンカーから打ち出したゴルファーの足やクラブ等の人為的な現象によるものかに関わらず、ゴルファーがバンカー内のゴルフボールの置かれた状態を変更することを禁止している。原因に関わらず、砂の表面の凹凸はバンカーショットをより困難にしている。この結果、バンカーを後にする礼儀正しいプレーヤーは、コース管理者によってバンカーの近くに都合よく配置されたレーキを使用して、次に来るプレーヤーのために砂を滑らかにしている。
【０００３】
バンカー内の砂は、乾燥し、緩くまたは固まった、細かいまたは重い、粒子の場合がある。既知のバンカー用レーキは、バーと多様な枝分かれ部とでできており、硬い枝分かれ部が硬いバーから等間隔かつ等しい深さで下向きに延在している。入手可能なレーキは、歯を上または下に向けて使用して、砂を尾根と溝とに分け、望ましくは次に来る水平なバーで水平にすることができる。バンカーの変化する地形、その時の気候条件、および砂の一貫性の有無に応じて、真に滑らかな結果はめったに得ることができず、レーキを複数回ストロークさせることによってのみ得ることができた。ショットがバンカーに入ったゴルファーが拡張された不親切さを不快に感じることは珍しいことではなかった。
【発明の概要】
【発明が解決しようとする課題】
【０００４】
したがって、本発明の目的は、ゴルフバンカーの砂を滑らかにするための器具を提供することである。また、本発明の目的は、様々なバンカーの地形、気候条件、および砂の堅さに対して、一貫した砂の滑らかさを得られる器具を提供することである。
【０００５】
本発明のさらなる目的は、例えばスキー場の雪を滑らかにするための器具を提供することである。スキー場を手入れするための典型的な道具には、雪の中に隆起部を作成する耕作機が含まれ、「丸太道」と呼ばれる効果をもたらす。
【０００６】
本発明のさらなる目的は、例えば競馬場の泥を滑らかにするための器具を提供することである。
本発明の目的は、従来の装置で可能であるよりも容易に粒状媒体を滑らかにするための器具を提供することにある。
【課題を解決するための手段】
【０００７】
本発明によれば、一面の粒状媒体を滑らかにするために、ローラ組立体が提供される。ワイヤアレイは、凸形状ローラ表面を画定するために長手方向軸から間隔を開けられている。各ワイヤは弾性的に可撓性であり、接触したときの力の増加に応じて内向きに変形し、接触したときの力が解放されている間に元に戻り、粒状媒体はワイヤアレイが軸の周りを回転し、ローラ表面が一面の媒体上の軸の周りを回転する。ローラ表面が一面を横切ることにより、少なくとも一部の粒状媒体はローラ組立体のローラの外側に飛ばされ、これにより一面を滑らかにしている。
【０００８】
一実施形態では、各ワイヤは、長手方向軸および対応する半径方向平面から広がる対応する半径方向平面に配置されていていてもよい。別の実施形態では、各ワイヤは、長手方向軸から広がる対応する半径の間を延び、各ワイヤの対応する半径は、長手方向軸に対して異なる平面にある。半径方向平面の実施形態または対応する半径の実施形態のいずれかにおいて、凸形状ローラ表面の外側部分の凸形状は、凸形状ローラ表面の内側部分の凸形状よりも弓形であっていてもよい。
【０００９】
ローラ組立体はまた、ワイヤのアレイの各端部に１つずつ、２つのブッシュを有していてもよく、各ワイヤの反対側どうしの端部は、ブッシュの対応する１つに固定されている。例えば、各ブッシュは、対応するリングと協働して、対応するワイヤをブッシュとリングとの間の環状部に把持することができる。
【００１０】
一実施形態では、シャフトは、ローラ組立体の長手方向軸に沿って延在し、ブッシュは、シャフトの長手方向軸の周りで回転可能である。シャフトは、ヨークのアームの間で延在している。一実施形態では、細長いハンドルがヨークから延在してシャフトを横切っている。別の実施形態では、ブッシュは、ヨークの端部に近接して取り付けられ、シャフトは用いられていない。
【００１１】
各ワイヤは弾性的に可撓性であり、ローラが一面の粒状媒体の共通の長手方向軸の周りを回転するとき、接触による力の増加に応じて内向きに変形し、粒状媒体からの接触しているときの力の解放中に元に戻る。
【００１２】
ローラ組立体は、共通の長手方向軸上に直列に配置された２つ以上のローラを備えているか、オフセットされた長手方向軸を有する２つ以上のローラを備えている。各ローラは、凸形状のローラ表面を画定するために、共通の長手方向軸から間隔を開けて配列されたワイヤである。ローラ組立体のローラのローラ表面は、ローラ表面が一面の粒状媒体を横切るときに、共通軸の周りを回転している。粒状媒体の少なくとも一部は、粒状媒体との接触からの圧縮力の解放からのワイヤのばねのような復元によってローラ組立体の外側に投げられ、これにより粒状媒体を滑らかにしている。ワイヤ以外のばねのような構造の媒体接触面も可能である。
【００１３】
一実施形態では、各アレイの各ワイヤは、共通の長手方向軸から広がる対応する半径方向平面に配置されていてもよく、各アレイの半径方向平面は、共通の長手方向軸の周りに等しい角度増分で離間されていていてもよい。別の実施形態では、各アレイの各ワイヤは、長手方向軸から広がる対応する半径の間で延在して、各ワイヤの対応する半径は、長手方向軸に対して異なる平面にあっていてもよい。各アレイの各ワイヤの対応する半径は、長手方向軸の周りに等しい角度増分で間が開いていていてもよい。半径方向平面の実施形態または対応する半径の実施形態のいずれかにおいて、各ローラの凸形状ローラ表面の外側部分の凸形状は、凸形状ローラ表面の内側部分の凸形状よりも弓形状であっていてもよい。
【００１４】
各ローラは、各ローラの各端部に１つあり、各ワイヤの反対側どうしはブッシュの対応する１つに固定された２つのブッシュをさらに有していていてもよい。各ブッシュは、対応するリングと協働して、対応するワイヤをそれらの間の対応する環状部を把持していていてもよい。
【００１５】
共通のシャフトは、ローラ組立体の共通の長手方向軸に沿って延在していてもよく、各ローラのブッシュは、シャフトの共通の長手方向軸の周りを回転可能であっていてもよい。シャフトはヨークのアームの間で延在し、細長いハンドルはヨークからシャフトを横切って延在している。
【００１６】
並置されたローラのワイヤの端部は、交互に噛み合う配列で重なって、ローラを共通の長手方向シャフトの周りで一斉に回転させ、ローラ組立体の全長に沿って一面の粒状媒体の滑らかさを確保することができる。
【００１７】
各ローラの各ワイヤは、ローラ組立体が一面の粒状媒体の共通の長手方向軸の周りを回転するときに、粒状媒体との接触による力の増加に応じて内側に変形し、接触による力から解放されるときに粒状媒体に元に戻るように、弾性的に可撓性であっていてもよい。
【００１８】
ローラ組立体は、一面の粒状媒体を滑らかにするために設けられている。ローラ組立体は、第１の端部、第２の端部、および長手方向軸を有する少なくとも１つのローラを備えている。複数のワイヤの外面等の複数の媒体接触面は、長手方向軸の周りを回転するように設けられ、各媒体接触面の少なくとも一部は、第１の位置から圧縮位置まで内側に移動可能である。ここで、圧縮位置は、第１の位置よりも長手方向軸に近く、圧縮位置は、粒状媒体との接触による力から生じる。媒体接触面の１つが圧縮位置にあるとき、媒体接触面は、少なくとも一部の粒状媒体を少なくとも１つのローラから外向きに飛ばすのに十分な力および速度で第１の位置に戻る。
【００１９】
複数のワイヤは、ローラの第１の端部に近接する第１の端部と、ローラの第２の端部に近接する第２の端部とを有している。第１のブッシュは、複数のワイヤの第１の端部に近接し、第２のブッシュは、複数のワイヤの第２の端部に近接している。ブッシュのそれぞれは、対応するリングと協働して、複数のワイヤをその間の環状部に把持している。一実施形態では、シャフトは長手方向軸に沿って延在している。ブッシュは、長手方向軸の周りで回転可能である。
【００２０】
ローラ組立体は、ヨークを有していてもよく、シャフトは、ヨークのアーム間に延在している。追加的に、シャフトは設けられていなくても良い。細長いハンドルは、ヨークから長手方向軸またはシャフトを横切る方向に伸びている。
【００２１】
複数のワイヤの各ワイヤは、長手方向軸から広がる対応する半径方向平面に配置されていてもよい。複数のワイヤの対応する半径方向平面は、長手方向軸の周りに等しい角度増分で間隔を開けられていてもよい。複数の製品の各ワイヤは、第１のブッシュに取り付けられた第１の半径方向セグメント、第２のブッシュに取り付けられた第２の半径方向セグメント、および第１の半径方向セグメントと第２の半径方向セグメントとの間の長手方向部分を有していてもよく、第１の半径方向セグメントは、長手方向軸から広がる第１の半径方向平面に配置され、第２の半径方向セグメントは、長手方向軸から広がる第２の半径方向平面に配置されている。複数のワイヤのうちのワイヤの第１の半径方向セグメントおよび第２の半径方向セグメントは、長手方向軸の周りに等しい角度増分で離間されていてもよい。
【００２２】
複数のワイヤの各ワイヤは、弾性的に可撓性を有し、ローラが粒状媒体の広がりの長手方向軸の周りを回転するとき、接触による力の増加に応じて内向きに変形し、粒状媒体からの接触による力の解放中に元に戻る。
【００２３】
一実施形態では、複数の耕作部材がローラに設けられている。耕作部材は、粒状媒体を粉砕するために設けられ、ローラは、粉砕された粒状媒体を滑らかにするために設けられている。
【００２４】
一実施形態では、複数の媒体接触面は、第１の端部、第２の端部、および中点を画定し、第１の端部および第２の端部は、凸形状媒体接触面を形成するための中点よりも長手方向軸に近い。
【００２５】
上述のように、ローラ組立体は、ハンドルに取り付けられていてもよい。代替的に、ローラまたはローラ組立体は、トラクター、スノーキャット、または他の牽引可能な装置等の牽引可能な組立体に取り付けられていてもよい。同様に、耕起部材はハンドルに取り付けられてもよく、または代替的に、耕起部材は牽引可能な組立体に取り付けられていてもよい。
【図面の簡単な説明】
【００２６】
本発明の他の目的および利点は、以下の詳細な説明を読んで図面を参照することにより明らかになるであろう。
【図１】本発明によるローラ組立体の６つのローラの実施形態の斜視図である。
【図２】図１の実施形態のローラ端の拡大斜視図である。
【図３Ａ】図１のローラ組立体の１つのローラの実施形態の拡大斜視図である。
【図３Ｂ】図３Ａのローラの拡大上面図である。
【図４Ａ】本発明によるローラ組立体の１つのローラの別の実施形態の拡大斜視図である。
【図４Ｂ】図４Ａのローラの拡大上面図である。
【図５Ａ】本発明によるローラ組立体の１つのローラの別の実施形態の拡大斜視図である。
【図５Ｂ】図５Ａのローラの拡大上面図である。
【図６】本発明によるローラ組立体の４つのローラの実施形態のローラ端の分解斜視図である。
【図７】本発明によるローラ組立体の並置されたローラの境界面の拡大部分平面図である。
【図８】図６の８−８線に沿った断面図である。
【図９】図６の９−９線に沿ったローラ組立体の長手方向軸を横断する平面における、本発明によるローラ組立体のベアリングを通る断面図である。
【図１０】図６の１０−１０線に沿ったローラ組立体の長手方向軸を横断する平面における、本発明によるローラ組立体のベアリングを通る断面図である。
【図１１】本発明によるローラ組立体の並置されたローラのインターフェースの拡大部分斜視図である。
【図１２】一面の粒状媒体滑らかにする本発明によるローラ組立体の端面図である。
【図１３Ａ】本発明によるローラ組立体の単一のローラの実施形態の斜視図である。
【図１３Ｂ】図１３Ａのローラの１６本のワイヤの実施形態を示す。
【図１４】ローラ組立体端部キャップの斜視図である。
【図１５】図１３の端部キャップの端面図である。
【図１６】ローラ組立体に取り付けられた図１３の端部キャップの外面を見た斜視図である。
【図１７】ローラ組立体に取り付けられた図１４の端部キャップの内面の拡大斜視図である。
【図１８】図１７の端部キャップの内面の斜視図である。
【図１９】ローラ組立体に取り付けられた図１８の端部キャップの外面の斜視図である。
【図２０】ローラ組立体に取り付けられた図１７の端部キャップの内面の斜視図である。
【図２１】ワイヤホルダの別の実施形態の斜視図である。
【図２２】図２１のワイヤホルダに受け入れられるためのハブキャップの正面斜視図である。
【図２３】図２２のハブキャップの背面斜視図である。
【図２４】図２３のハブキャップ上に受け入れられるためのボールベアリングキャップの斜視図である。
【図２５】固まった粒状媒体を砕くための歯を有する二段式単一ローラの実施形態の斜視図である。
【図２６】固まった粒状媒体を砕くための歯を有する二段式マルチローラ組立体の牽引可能な実施形態の斜視図である。
【００２７】
本発明をその好ましい実施形態と併せて説明するが、本発明をそれらの実施形態または添付図面に示される部品の構造または配置の詳細に限定することを意図するものではないことを理解されたい。
【発明を実施するための形態】
【００２８】
図１に示すように、ゴルフバンカー（図示せず）内の砂等の一面の粒状媒体を滑らかにするためのローラ組立体の実施形態は、１つまたは複数のローラ１２を有するローラ組立体１０を有している。図１の実施形態では、複数の直列に配置されたローラ１２が、ヨーク１４によって細長いハンドル１６に接続されている。図１の実施形態に示すように、ローラ組立体１０は、６つのローラ１２を有している。しかしながら、ローラ組立体１０の実施形態は、１つのローラ１２または任意の数のローラ１２を有していてもよい。
【００２９】
図２によりよく示すように、一緒に取られた図１のローラ組立体１０の実施形態の複数の直列に配列されたローラ１２は、概して円筒形の輪郭を有するが、各ローラ１２は、ローラ１２が配列された長手方向軸２０に関連する凸形状ローラ表面１８を個別に示している。図示された凸形状は例示であり、よりはっきりとしていてもよい。
【００３０】
次に図３Ａおよび３Ｂは、図１および２に示す各ローラ１２の実施形態を示している。ローラ１２は、凸形状ローラ表面２４を画定するために、共通の長手方向軸２０から離間されたワイヤ２２のアレイを有している。ここで示す実施形態では、アレイの各ワイヤ２２は、共通の長手方向軸２０から広がる対応する半径方向平面に配置されている。示されているように、半径方向平面およびアレイのワイヤ２２は、好ましくは共通の長手方向軸２０の周りに等しい角度増分で離間されている。
【００３１】
引き続き図３Ａおよび３Ｂを参照すると、ローラ１２は、ローラ１２の各端部に１つずつ、２つのブッシュ２６を有している。各ワイヤ２２の反対側の端部は、ブッシュ２６の対応する１つに固定されている。各ブッシュ２６は、対応するリング２８と協働して、ブッシュ２６とリング２８との間の対応する環状部内でワイヤ２２の端部を把持している。ローラ組立体１０の図１〜３Ａに示す実施形態では、対応するリング２８は、単一の管３０の端部である。ブッシュ２６のそれぞれは、長手方向の同心の開口部３２を有している。
【００３２】
図１および２に戻ると、ローラ組立体１０の共通の長手方向軸２０上に位置合わせされた共通シャフト３８は、各ローラ１２のブッシュ２６の同心の開口部３２を通って延在している。シャフト３８は、ヨーク１４のアーム４０間に接続されている。ハンドル１６は、ヨーク１４からシャフト３８およびチューブ３０に対して横切る方向に延在している。ブッシュ２６は、シャフト３８の共通の長手方向軸２０の周りでシャフト３８上を回転可能である。好ましくは、示されるように、並置されたローラ１２のワイヤ２２の端部４２は、重なり合う交互に噛み合って連続するように配置されている。
【００３３】
図３Ａおよび３Ｂに戻ると、重なり合う交互に噛み合った連続体を提供する好ましい構成では、各ワイヤ２２は、概ねその長手方向の凸部分４６の端部から内向きに長手方向軸２０に向かって延在する放射状部分４４を有している。しかしながら、図３Ｂで最もよく示すように、ワイヤ２２の各放射状部分４４と凸形状部分４６との接合部４８での角度は、ワイヤ２２のアレイがローラ１２の長手方向端部の各々の上で長手方向軸２０に対して横切るはめ歯歯車を形成するような角度であることが好ましい。並置されたローラ１２がシャフト３８上で長手方向に詰まって整列している場合、並置されたローラ１２のはめ歯歯車は重なり合って係合し、ローラ組立体１０の全てのローラ１２が共通の長手方向軸２０の周りで一斉に回転する。
【００３４】
ここで使用される「ワイヤ」という用語は、金属、プラスチック、および／または繊維材料のフィラメントを含んでいる。各ローラ１２の各ワイヤ２２の少なくとも凸形状部分４６は、ローラ組立体１０が一面の粒状媒体状で共通の長手方向軸２０の周りを回転するのに応じて、粒状媒体との接触による力の増加に応じて内向きに変形し、接触による力の解放中に元に戻るように弾性的に可撓性であることが好ましい。
【００３５】
以下に説明するワイヤ２０、３２０、４２０、またはここで説明する他のワイヤの実施形態は、様々な材料および寸法で構成されていてもよい。一実施形態では、ワイヤ２０、３２０、４２０の材料は、ＡＩＳＩ  ３０２ステンレス鋼の鍛造ばねである。この材料の引張強度は１８９〜３１９ｋｓｉである。２３５−３３５ｋｓｉの引張強度範囲の１７−７ＰＨを含む他のステンレス合金を使用してもよい。ＡＩＳＩ３０４および３１６など、他のステンレス鋼合金を使用してもよい。３０２／３０４に対する１７−７の利点は、１７−７は所望の強度と成形性を得るために、析出硬化によって熱処理可能であることである。
【００３６】
ワイヤ２０、３２０、４２０は、それらの軸を横切って負荷が加えられている。それらは、それらの長さに沿って外向きの、または凸形状の湾曲（すなわち、弓形）で製造および組み立てられている。負荷が加えられると、ワイヤ２０、３２０、４２０は、本質的に真っ直ぐな構成に圧縮または押され、より大きな半径方向の負荷が付与されると、逆の湾曲になっていてもよい。ワイヤ２０、３２０、４２０の横方向の圧縮またはたわみにより、次の値に等しい、ワイヤ毎の半径方向の剛性が得られる。
【００３７】
【数１】
2021507155.tif 000003
【００３８】
ここで、ΔＦは１本のワイヤ２０、３２０、４２０によって得られた総半径方向（横方向）力であり、Δｙは対応する最大横方向たわみである。単一のワイヤ２０、３２０、４２０の剛性値は、次のように示される。
【００３９】
【数２】
2021507155.tif 000004
【００４０】
ここで、Ｅはスプリングワイヤ２０の弾性率であり、Ｉはワイヤ２０の断面二次モーメント（例えば、直径ｄのワイヤでπｄ４／６４、またはｄｘｄの正方形のワイヤでｄ４／１２）であり、Ｌは長さである。Ａは比例定数であり、ワイヤ２０の端部条件と横荷重分布の形状とによる。例えば、もし両端が単純に支持されており、荷重がワイヤ２０の長さに沿って均一に分布していると仮定されている場合、Ａ＝７６．８である。もし荷重が正弦曲線であり、最大値が中央にあると仮定した場合、Ａ＝π２である。
【００４１】
ワイヤ２０、３２０、４２０の放射状の端の長さ、および放射状から横断面までの曲率も、主にＡの値に影響を与えることにより、全体的なワイヤの剛性に寄る。
剛性ｋの式は、異なる長さにわたって同一の剛性を有するワイヤ２０、３２０、４２０を選択するのに役立つ。例えば、丸いワイヤ１１の直径がｄ１（および対応する慣性モーメントがＩ１）で、長さＬ１で良好な剛性特性があり、長さＬ２で同じ剛性を持つワイヤ２が必要な場合：
【００４２】
【数３】
2021507155.tif 000005
【００４３】
または
【００４４】
【数４】
2021507155.tif 000006
【００４５】
が必要である。
例えば、０．１８ｃｍ（０．０７２インチ）の直径を有する長さ４３．２ｃｍ（１７インチ）のワイヤは、０．２４ｃｍ（０．０９３インチ）の直径を有する６１．０ｃｍ（２４インチ）のワイヤと同じ剛性を有している。
【００４６】
個々のローラの全体的な下向きの剛性は、各ワイヤ２０、３２０、４２０の剛性と、周りのワイヤ２０、３２０、４２０の数に寄る。所与のローラ上のワイヤ２０、３２０、４２０が多いほど、その全体的な剛性は大きくなる。
【００４７】
一例として、直径ｄ１が０．１８ｃｍ（０．０７２インチ）、長さＬＩが４３．２ｃｍ（１７インチ）、慣性モーメントＩ１が５４．９ｘ１０−６ｃｍ４（１．３１９ｘ１０−６in４）のワイヤ２０、３２０、４２０が効果的であることがわかっている。以下、表１は、１５．２ｃｍ（６インチ）から９１．４ｃｍ（３６インチ）までのさまざまな長さＬ２のワイヤ直径ｄ２の例である。
【００４８】
【表１】
2021507155.tif 000007
【００４９】
上記の表は、例としてのみ提供されている。リストに記載された直径から＋／−３％の直径を含む他の直径も適切であると考えられている。
図４Ａおよび４Ｂを参照すると、ローラ組立体１０で使用するためのローラの別の実施形態、すなわち、ブッシュ１２６が単一管の一部ではないが、互いに対して独立している、すなわち、ブッシュ１２６が管セグメント１３０内に配置されていることを除いて、図３Ａおよび３Ｂのローラ１２の実施形態と全ての点で同じであるローラ１１２が示されている。
【００５０】
図５Ａおよび５Ｂに移ると、ローラ組立体１０で使用するためのローラのさらに別の実施形態、すなわち、ローラ２１２が示されており、アレイの各ワイヤ２２２は、長手方向軸２２０から広がるが長手方向軸２２０に対して異なる半径方向平面から生じる、対応する半径２２３の間に延在している。したがって、ワイヤ２２２の凸形状部分２４６は、長手方向軸２２０に平行ではない。好ましくは、アレイのワイヤ２２２は、長手方向軸２２０の周りに等しい角度増分で離間されており、これにより、ワイヤ２２２の凸形状部分２４６は長手方向軸２２０に平行ではないが、それらは互いに平行である。
【００５１】
図５Ａおよび５Ｂに示されるように、ローラ２１２は、図４Ａおよび４Ｂの実施形態におけるように独立したブッシュ２２６を有しているが、ブッシュ２２６はまた、図３Ａおよび３Ｂに関連して記載される一体型であってもよい。
【００５２】
次に図６を参照すると、ローラ組立体の別の実施形態、すなわちローラ組立体３１０は、４つのローラ３１２を有している。４つのローラ３１２は、図３Ａおよび３Ｂに関して説明されたローラ１２と同じ２つの中間ローラ３１３を含んでいる。４つのローラ３１２及び２つの外側ローラ３１５はまた、それらの内側部分３５２の凸形状よりも弓状であり長手方向軸３２０に向かって湾曲する凸形状の外側部分３５０を有し、これにより、ブッシュ３２６とそれぞれのリング３２８との間の環状部分に把持されて示すように、それらの端部はそれぞれのブッシュ３２６に固定されている。
【００５３】
任意の複数のローラの実施形態において、図６に示すように端部ローラ３１５は、図３Ａおよび３Ｂ、図４Ａおよび４Ｂ、または図５Ａおよび５Ｂに示すような中間ローラ３１３と共に使用されてもよい。ローラ３１２は、凸形状ローラ表面３２４を画定するために、共通の長手方向軸３２０から間隔を置いて配置されたワイヤ３２２のアレイを有している。ローラ組立体３１０は、ブッシュ３２６、すなわちローラ３１２の各端部に１つを有している。ワイヤ３２２の反対側の端部は、ブッシュ３２６の対応する１つに固定されている。各ブッシュ３２６は、対応するリング３２５と協働して、ブッシュ３２６とリング３２８との間の対応する環状部にワイヤ３２２の端部を把持する。ブッシュ３２６は、シャフト３３８に取り付けられている。
【００５４】
単一ローラの実施形態の場合、図３Ａおよび３Ｂに示すローラ１２、図４Ａおよび４Ｂのローラ１１２、または図５Ａおよび５Ｂのローラ２１２が使用されることができる、または図６に示す外側部分３５０をローラの両端に有する単一ローラが使用されることができる。
【００５５】
図７〜１１は、ブッシュ２６、リング２８およびチューブ３０、ならびにそれらの実施形態の長手方向軸１２０を横断するいくつかの平面におけるローラ組立体の様々なマルチローラの実施形態の反対側どうしの端部が重なり合って交互に噛み合って連続するワイヤ２２の環状接続を示している。
【００５６】
図１２を参照すると、ローラ組立体１０、３１０の様々な実施形態の動作は、６ローラ組立体１０に適用される例示的な説明から理解されるであろう。６ローラ組立体１０は、６つのローラ１２を含んでいる。６つのローラ１２は、図４Ａおよび４Ｂによる４つの中間ローラ１２および２つの端部ローラ１５を含み、ローラ組立体１０の共通の長手方向軸２０の周りを同時に回転させるために、それらが重なり合って交互に噛み合って連続する、並置されたローラ１２―１２または１２―３１５を有する、図６によるローラ１２または端部ローラ１５と同様の構造であってもよい。
【００５７】
このまま図１２を参照すると、ハンドル１６を使用して、ユーザーは、砂、雪、土等である符号Ｓの一面の粒状媒体を押す、引く、または交互に押したり引いたりでき、適度の下向きの圧力を加えて、ローラ１２および１５を、一面の粒状媒体上で共通の長手方向軸２０の周りで一斉に回転させる。共通の長手方向軸２０の周りの様々なローラ１２および１５のワイヤ２２の凸形状ローラ表面１８の回転は、ローラ組立体１０のローラ１２および１５の粒状媒体の一部を外側に飛ばす。ローラ１２および１５を同時に回転させることに加えて、重なり合って交互に噛み合う連続は、ローラ１２および１５の直列配置の長さに亘って粒状媒体Ｓの分配を確実にしている。さらに、端部ローラ１５の外側部分のより弓状の凸部は、ローラ組立体１０の経路に隣接する粒状媒体Ｓを用いて、ロール状の粒状媒体Ｓのより滑らかな移動をもたらす。ローラ表面を形成するワイヤ２２が一面の粒状媒体Ｓ上で長手方向軸２０の周りを回転するとき、粒状媒体Ｓの少なくとも一部は、ローラ組立体１０の外向きに飛ばされる。飛ばされた粒状媒体Ｓは、長手方向軸２０から半径方向外向きの方向に密度が減少し、密度およびローラ組立体１０の前方向から後方向への距離が増加する粒状媒体Ｓの雲Ｃを形成するように見える。
【００５８】
次に図１３Ａ〜１３Ｂには、単一のローラの実施形態、すなわちローラ組立体４１０が示されている。ローラ組立体４１０は、単一のローラ４１２を含んでいる。ローラ４１２は、凸形状ローラ表面４２４を画定するために、共通の長手方向軸４２０から離間されたワイヤ４２２のアレイを有している。図１３Ａには、２４本のワイヤ４２２が示されている。図１３Ｂには、１６本のワイヤが示されている。より多いまたはより少ない数のワイヤを有する別の実施形態も可能である。図示する実施形態では、アレイの各ワイヤ４２２は、共通の長手方向軸４２０から広がる対応する半径方向平面に配置されている。図示するように、アレイの半径方向の平面およびワイヤ４２２は、好ましくは、共通の長手方向軸４２０の周りに等しい角度増分で離間されている。ローラ組立体４１０は、ローラ組立体４１０の各端に１つずつ、２つのブッシュ４２６を有している。各ワイヤ４２２の反対側の端部は、ブッシュ４２６の対応する１つに固定されている。各ブッシュ４２６は、対応するリング４２８と協働して、ブッシュ４２６とリング４２８との間の対応する環状部内にワイヤ４２２の端部を把持している。対応するリング４２８は、単一管４３０の端部であってもよい。ブッシュ４２６の各々は、長手方向の同心の開口部を有している。各ワイヤ４２２は、その長手方向の凸形状部分４４６の端部から長手方向軸４２０に向かって内向きに延在する一般に放射状部分４４４を有している。
【００５９】
ワイヤ４２２の凸形状部分４４６が弾性的で可撓性であり、接触による力の増加に応じて内側に変形し、接触による力の解放中に、ローラ組立体１０、３１０、４１０が一面の粒状媒体Ｓ上の共通の長手方向軸２０、３２０、４２０の周りを回転するときに粒状媒体Ｓを元に戻り、解放によるエネルギは、ローラ組立体１０の有効性を高める。
【００６０】
ここで図１４〜２４に示すように、ローラ組立体の実施形態１０、３１０、４１０のいずれにおいても、特に単一ローラの実施形態４１０では、アレイのワイヤ２０、３２０、４２０の放射状部分４４、３４４、４４４が、ローラ組立体１０、３１０、４１０の各端部に１つずつある端部キャップ５００を使用することにより、動作中に変形することにより軽減または回避される可能性がある。図１４〜１７で最もよく示すように、端部キャップ５００の一実施形態は、ディスク５０２であって、中央開口部５０４とディスク５０２の内面に対して鈍角でディスク５０２の外周から外側に延在する複数の放射状歯５０６とを有する、ディスク５０２である。図１６に最もよく示すように、ディスク５０２の直径は、ブッシュ２１の外径よりも大きいため、隣接する歯５００は、アレイの連続するワイヤ２２、３２２、４２２の半径方向部分４４の間に延在している。歯５０６の数および幅は、１つの歯５０６がアレイのそれぞれの角度増分で各空間に突出しており、そのそれぞれの連続する対のワイヤ２２、３２２、４２２の半径方向ポート４４、４３３、４４４に係合するようなものである。引き続き図１６を参照すると、各端部キャップ５００は、例えば、シャフトにねじで取り付けられてそれぞれのブッシュ５３８の付勢力に抗して端部キャップ５００を締め付けるナット５０８によって、ワイヤ２６のアレイの放射状部分４４、３４４、４４４と係合して固定されていてもよい。図示するように、シャフト５３８は、各ナット５０８を越えて、それぞれの外側ナット５１０まで延在している。ナット５０８および５１０間のシャフト延長部分５１２は、それぞれの目的、それぞれのアーム、例えば、ヨーク１４の符号４０、に取り付けられていてもよい。
【００６１】
単一ローラの実施形態４００では、直径３．８ｃｍ（１．５インチ）のディスク５０２および長さ１．０ｃｍ（３／８インチ）の歯を有する０．３ｃｍ（１／８インチ）のステンレス鋼の端部キャップ５００は、外形が１．９ｃｍ（３／４インチ）のブッシュ４２６を有する１．９ｃｍ（３／４）の幅約４３．２ｃｍ（１７インチ）のローラ４１０で満足に機能した。
【００６２】
代替的に、図１８〜２０からわかるように、例えば、端部キャップ６００等の、端部キャップの別の実施形態が示されている。端部キャップ６００は、中央開口部６０４と、ディスク６０２の外周から外向きに延在する複数のＬ字形の歯６０６とを有するディスク６０２である。Ｌ字形の歯６０６の数および幅は、１つの歯６０６が、ワイヤのアレイのあらゆる角度増分で各空間に突出し、ワイヤ２０のそれぞれの連続する対の半径方向部分４４、３４４、４４４に係合するようなものである。この実施形態では、ワイヤ２２、３２２、４２２の半径方向部分４６、３４６、４４６は、ブッシュ２６、３２６、４２６内に延在する直線部分が後に続く湾曲部分を有していてもよい。
【００６３】
別の実施形態では、端部キャップ組立体は、ポリカーボネートまたは別の適切な材料等の、成形可能な材料で成形されていてもよい。ここで図２１〜２４を参照すると、ハブキャップ７００の外周から外向きに延在する複数の延在する歯７０６を画定するハブキャップ７００が示されている。作用する歯７０６の数および幅は、ワイヤのアレイのあらゆる角度増分で各空間に突出するようなっており、それぞれの連続する対のワイヤ２２、３２２、４２２の半径方向部分４４、３４４、４４４に係合している。ハブキャップ７００は、ワイヤホルダ７２０と嵌合しており、ねじ穴７２１に受けられた複数のねじでそこに固定されていてもよい。ワイヤホルダ７２０は、それぞれのワイヤ２２の端部を受けるためのワイヤ穴７２４で終端する複数のワイヤ受け溝７２２を画定している。ワイヤホルダ７２０は、チューブ２０の端部で受けられていてもよい。ハブキャップ７００は、ねじ穴７２１を隠すためのボールベアリングキャップ７４０を収容していてもよい。
【００６４】
次に図２５に示すように、単一ローラの実施形態４１０の実施形態の変形、すなわち、２段ローラ組立体８１０が示されている。２段ローラ組立体８１０は、図２５のローラ４１２と同様の構造を有するローラ８１２を含んでいる。ローラ８１２は、ヨーク１４のアーム間に支持されている。歯８７０等の耕作部材は、クロスバー８７２に取り付けられている。複数の下向きに延在する歯８７０は、凝固または結合し得る粒状媒体を粉砕するのに役立つ。複動ローラ組立体８１０を設けることにより、ユーザーは、耕作部材で粒状媒体を粉砕し、次に、上記の方法によりローラ８１２で粉砕された粒状媒体を滑らかにすることができる。歯８７０は耕作部材の例として示されているが、下方に延在する歯、鋸歯状の縁または他の手段を含む耕作部材の他の構成が可能である。
【００６５】
本発明は、手動で動作するローラ組立体の様々な実施形態に関して上述のように説明してきた。しかしながら、かなり大きな構造のローラ組立体は、例えば、スキー場、競馬場、または粒状媒体の例を滑らかにするのに使用されるために、乗り物によって牽引されることができると考えられる。
【００６６】
例えば、図２６を参照すると、牽引可能な組立体９１０の斜視図が示されている。牽引可能な組立体９１０は、ローラ９１３、９１４、および９１５を含んだローラのアレイ９１２を含んでいる。ローラ９１３、９１４、および９１５は、上述のローラと同様である。しかしながら、例えば上記のスキー場および競馬場の用途等の大規模な用途では、ローラ９１３、９１４、および９１５は、トラクター、雪上車、または他の牽引装置の後ろに牽引される非常に大きな直径のものであってもよい。一実施形態では、牽引可能組立体９１０は、歯９７０等の耕作部材を支持するためのプラットフォームを提供する耕作部材セクション９６０をさらに含んでいる。上述の歯８７０と同様に、より大きな牽引可能な組立体に取り付けられた耕作部材は、粒状媒体が滑らかになるためにローラ９１３、９１４、および９１５に出くわす前に粒状媒体を粉砕するように設けられている。例示的な牽引可能組立体９１０は、３つのローラ９１３、９１４、および９１５を有して示されているが、単一のローラまたは６つ以上のローラを含む任意の数のローラが使用されていてもよいことを理解されたい。
【００６７】
本明細書では別個の実施形態が示されて説明されているが、特定の実施形態の構成要素は、本明細書で説明した他の実施形態と組み合わされていてもよいことを理解されたい。例えば、出願人の６つのローラの実施形態に示されて説明された要素は、出願人の４つのローラまたは１つのローラの実施形態に展開されてもよい。同様に、出願人の２段階構成は、ハブ、ローラタイプ、ローラの数、管の有無、またはここに開示されている他の構成要素の任意の組み合わせで使用されてもよい。
【００６８】
本明細書では特定の実施形態について説明しているが、本発明はこれに限定されず、本発明の範囲内で多くの改良および追加が行われていてもよいことを理解されたい。例えば、本発明の範囲から逸脱することなく、独立請求項の特徴を有する以下の従属請求項の特徴の様々な組み合わせを行ってもよい。
【００６９】
したがって、本発明によれば、上述の課題、目的、および利点を完全に満たすゴルフコースのバンカーの砂等の、粒状媒体を滑らかにするためのローラ組立体が提供されることは明らかである。本発明は、それらの実施形態の構成要素の互換性を含む、その特定の実施形態に関連して説明されたが、多くの代替、改良、および変形が、上述の説明にしたがって当業者に明らかであることは明白である。したがって、添付の特許請求の範囲の趣旨に含まれる全てのそのような代替、修正、および変形を包含することが意図されている。
【００７０】
したがって、本発明は、目的を実行し、上述の目的および効果ならびにそこに内在する目的および利点を達成するように十分に適合されている。ここの好ましい実施形態をこの開示のために説明してきたが、多くの変更および改良が当業者には明らかであろう。そのような変更および改良は、特許請求の範囲によって画定される本発明の趣旨に含まれる。
【図１】
2021507155.tif 000008
【図２】
2021507155.tif 000009
【図３Ａ】
2021507155.tif 000010
【図３Ｂ】
2021507155.tif 000011
【図４Ａ】
2021507155.tif 000012
【図４Ｂ】
2021507155.tif 000013
【図５Ａ】
2021507155.tif 000014
【図５Ｂ】
2021507155.tif 000015
【図６】
2021507155.tif 000016
【図７】
2021507155.tif 000017
【図８】
2021507155.tif 000018
【図９】
2021507155.tif 000019
【図１０】
2021507155.tif 000020
【図１１】
2021507155.tif 000021
【図１２】
2021507155.tif 000022
【図１３Ａ】
2021507155.tif 000023
【図１３Ｂ】
2021507155.tif 000024
【図１４】
2021507155.tif 000025
【図１５】
2021507155.tif 000026
【図１６】
2021507155.tif 000027
【図１７】
2021507155.tif 000028
【図１８】
2021507155.tif 000029
【図１９】
2021507155.tif 000030
【図２０】
2021507155.tif 000031
【図２１】
2021507155.tif 000032
【図２２】
2021507155.tif 000033
【図２３】
2021507155.tif 000034
【図２４】
2021507155.tif 000035
【図２５】
2021507155.tif 000036
【図２６】
2021507155.tif 000037
【国際調査報告】
2021507155.tif 000038